【手続補正書】
【提出日】平成24年6月7日(2012.6.7)
【手続補正１】
【補正対象書類名】特許請求の範囲
【補正対象項目名】全文
【補正方法】変更
【補正の内容】
【特許請求の範囲】
【請求項１】
第１の色空間の画像信号と第２色空間の画像信号との対応関係を定める色変換特性を用いて、当該第１の色空間の画像信号を当該第２色空間の画像信号に色変換する色変換手段と、
前記色変換手段にて色変換された前記第２色空間の画像信号を、前記色変換特性の変動に応じて調整する調整手段と、
前記調整手段にて前記第２色空間の画像信号を調整する際に使用される調整用変換係数群を補正する補正手段と、
前記調整用変換係数群を作成するために測色される第１の色見本群よりも色見本数が少なく構成された第２の色見本群に関する測色結果により、前記補正手段での前記調整用変換係数群の補正が必要か否かを判定する判定手段と
を備えたことを特徴とする画像処理装置。
【請求項２】
前記判定手段は、前記調整用変換係数群の補正が必要であるとの判定を行った場合に、前記第２の色見本群に関する測色結果により、当該調整用変換係数群を構成する各色成分毎の変換係数群を算出し、算出した各色成分毎の変換係数群を用いて当該調整用変換係数群全体を補正するか、または当該調整用変換係数群の全体または一部を新たに作成し直す補正を行うかをさらに判定することを特徴とする請求項１記載の画像処理装置。
【請求項３】
前記補正手段は、前記判定手段での前記調整用変換係数群の補正に関する判定結果に応じて、当該調整用変換係数群を構成する各色成分毎の変換係数群を算出し、算出した各色成分毎の変換係数群を用いて当該調整用変換係数群全体を補正するか、または当該調整用変換係数群の全体または一部を新たに作成し直す補正を行い、補正された当該調整用変換係数群により当該補正手段にて使用される当該調整用変換係数群を更新することを特徴とする請求項１記載の画像処理装置。
【請求項４】
前記判定手段での前記調整用変換係数群の補正に関する判定結果に応じて、前記第２の色見本群以外を測色する必要のないことを使用者に通知するか、または、前記第１の色見本群および当該第１の色見本群よりも色見本数が少なく当該第２の色見本群よりも色見本数が多く形成された一または複数の第３の色見本群の何れか一または複数を測色する必要があることを使用者に通知する通知手段をさらに備えたことを特徴とする請求項１記載の画像処理装置。
【請求項５】
前記色変換手段にて色変換された前記第２色空間の画像信号を構成する一または複数の色成分、または前記調整手段にて調整された前記第２色空間の画像信号を構成する一または複数の色成分を、第１色成分と当該第１色成分よりも明度および彩度の何れか一または双方が低い第２色成分とに分解する色分解手段をさらに備え、
前記判定手段は、前記第２の色見本群に関する測色結果により、前記色分解手段にて使用される前記色成分を前記第１色成分と前記第２色成分とに分解する際の当該第１色成分の値と当該第２色成分の値とを定める分解係数群の補正が必要か否かを判定することを特徴とする請求項１記載の画像処理装置。
【請求項６】
第１の色空間の画像信号に画像処理を行って第２色空間の画像信号を生成する画像処理手段と、
前記画像処理手段により生成された前記第２色空間の画像信号に基づいて記録媒体上に画像を形成する画像形成手段とを有し、
前記画像処理手段は、
前記第１の色空間の画像信号と前記第２色空間の画像信号との対応関係を定めた色変換特性を用いて、当該第１の色空間の画像信号を当該第２色空間の画像信号に色変換する色変換手段と、
前記色変換手段にて色変換された前記第２色空間の画像信号を、前記色変換特性の変動に応じて調整する調整手段と、
前記調整手段にて前記第２色空間の画像信号を調整する際に使用される調整用変換係数群を補正する補正手段と、
前記調整用変換係数群を作成するために測色される第１の色見本群よりも色見本数が少なく構成された第２の色見本群に関する測色結果により、前記補正手段での前記調整用変換係数群の補正が必要か否かを判定する判定手段と
を備えたことを特徴とする画像形成システム。
【請求項７】
前記画像処理手段の前記判定手段は、前記調整用変換係数群の補正が必要であるとの判定を行った場合に、前記第２の色見本群に関する測色結果により、当該調整用変換係数群を構成する各色成分毎の変換係数群を算出し、算出した各色成分毎の変換係数群を用いて当該調整用変換係数群全体を補正するか、または当該調整用変換係数群の全体または一部を新たに作成し直す補正を行うかをさらに判定することを特徴とする請求項６記載の画像形成システム。
【請求項８】
前記画像処理手段の前記補正手段は、前記判定手段での前記調整用変換係数群の補正に関する判定結果に応じて、当該調整用変換係数群を構成する各色成分毎の変換係数群を算出し、算出した各色成分毎の変換係数群を用いて当該調整用変換係数群全体を補正するか、または当該調整用変換係数群の全体または一部を新たに作成し直す補正を行い、補正された当該調整用変換係数群により当該補正手段にて使用される当該調整用変換係数群を更新することを特徴とする請求項６記載の画像形成システム。
【請求項９】
前記画像処理手段の前記調整手段にて前記第２色空間の画像信号を調整するために使用される調整用変換係数群を補正する旨の使用者からの指示入力を受け付ける受付手段をさらに備え、
前記画像形成手段は、前記受付手段にて前記指示入力を受け付けることにより、記録媒体上に前記第２の色見本群を含む画像を形成することを特徴とする請求項６記載の画像形成システム。
【請求項１０】
前記画像形成手段は、前記第２色空間の１次色各々を予め定めた間隔毎の色座標値で形成した前記第２の色見本群を含む画像を形成することを特徴とする請求項９記載の画像形成システム。
【請求項１１】
前記判定手段での前記調整用変換係数群の補正に関する判定結果に応じて、前記第２の色見本群以外を測色する必要のないことを使用者に通知するか、または、前記第１の色見本群および当該第１の色見本群よりも色見本数が少なく当該第２の色見本群よりも色見本数が多く形成された一または複数の第３の色見本群の何れか一または複数を測色する必要があることを使用者に通知する通知手段をさらに備えたことを特徴とする請求項６記載の画像形成システム。
【請求項１２】
コンピュータに、
第１の色空間の画像信号と第２色空間の画像信号との対応関係を定めた色変換特性によって変換された当該第２色空間の画像信号を当該色変換特性の変動に応じて調整する際に使用する調整用変換係数群を補正する機能と、
前記調整用変換係数群を作成するために測色される第１の色見本群よりも色見本数が少なく構成された第２の色見本群に関する測色データを取得する機能と、
目標とする前記色変換特性を設定する前記第１の色空間の画像信号と前記第２色空間の画像信号との組み合わせからなる目標データ群を記憶する記憶手段から、当該目標データ群を取得する機能と、
取得した前記測色データと前記目標データ群とを比較し、当該測色データと当該目標データ群との比較結果に応じて前記調整用変換係数群に関する補正が必要か否かを判定する機能と
を実現させることを特徴とするプログラム。
【請求項１３】
前記調整用変換係数群の補正が必要であるとの判定を行った場合に、当該調整用変換係数群を構成する各色成分毎の変換係数群を算出し、算出した各色成分毎の変換係数群を用いて当該調整用変換係数群全体を補正するか、または当該調整用変換係数群の全体または一部を新たに作成し直す補正を行うかを判定する機能をさらに実現させることを特徴とする請求項１２記載のプログラム。
【手続補正２】
【補正対象書類名】明細書
【補正対象項目名】０００５
【補正方法】変更
【補正の内容】
【０００５】
請求項１に記載の発明は、第１の色空間の画像信号と第２色空間の画像信号との対応関係を定める色変換特性を用いて、当該第１の色空間の画像信号を当該第２色空間の画像信号に色変換する色変換手段と、前記色変換手段にて色変換された前記第２色空間の画像信号を、前記色変換特性の変動に応じて調整する調整手段と、前記調整手段にて前記第２色空間の画像信号を調整する際に使用される調整用変換係数群を補正する補正手段と、前記調整用変換係数群を作成するために測色される第１の色見本群よりも色見本数が少なく構成された第２の色見本群に関する測色結果により、前記補正手段での前記調整用変換係数群の補正が必要か否かを判定する判定手段とを備えたことを特徴とする画像処理装置である。
【手続補正３】
【補正対象書類名】明細書
【補正対象項目名】０００７
【補正方法】変更
【補正の内容】
【０００７】
請求項６に記載の発明は、第１の色空間の画像信号に画像処理を行って第２色空間の画像信号を生成する画像処理手段と、前記画像処理手段により生成された前記第２色空間の画像信号に基づいて記録媒体上に画像を形成する画像形成手段とを有し、前記画像処理手段は、前記第１の色空間の画像信号と前記第２色空間の画像信号との対応関係を定めた色変換特性を用いて、当該第１の色空間の画像信号を当該第２色空間の画像信号に色変換する色変換手段と、前記色変換手段にて色変換された前記第２色空間の画像信号を、前記色変換特性の変動に応じて調整する調整手段と、前記調整手段にて前記第２色空間の画像信号を調整する際に使用される調整用変換係数群を補正する補正手段と、前記調整用変換係数群を作成するために測色される第１の色見本群よりも色見本数が少なく構成された第２の色見本群に関する測色結果により、前記補正手段での前記調整用変換係数群の補正が必要か否かを判定する判定手段とを備えたことを特徴とする画像形成システムである。